(57)【要約】      （修正有）【課題】マークカードの無駄を削減するマークカード取扱装置を提供する。【解決手段】マークカードを取扱うマークカード取扱装置１００であって、所定の温度範囲において消色するインクを用いてマークカードに付されたマークを、消去する消去部４０と、消去部において消去するマークを選択する消去マーク選択部１２を備え、消去部は消去マーク選択部によって選択されたマークを消去する。さらに、消去マーク選択部は、消去するマークの指示を受付ける指示受付部を備える。【選択図】図３
2015146139.tif 000002
【特許請求の範囲】
【請求項１】
マークカードを取扱うマークカード取扱装置であって、
所定の温度範囲において消色するインクを用いて、前記マークカードに付されたマークを、消去する消去部を備える、マークカード取扱装置。
【請求項２】
請求項１に記載のマークカード取扱装置において、
さらに、
前記消去部において消去する前記マークを選択する消去マーク選択部を備え、
前記消去部は、
前記消去マーク選択部によって選択された前記マークを消去する、マークカード取扱装置。
【請求項３】
請求項２に記載のマークカード取扱装置において、
前記消去マーク選択部は、
前記消去するマークの指示を受付ける指示受付部を備える、マークカード取扱装置。
【請求項４】
請求項２に記載のマークカード取扱装置において、
前記消去マーク選択部は、
前記マークカードに記載された前記消去するマークの指示を読み取る読取部を備える、マークカード取扱装置。
【請求項５】
請求項１に記載のマークカード取扱装置において、
前記消去部は、
前記マークを全て消去する、マークカード取扱装置。
【請求項６】
請求項１から請求項５までのいずれか一項に記載のマークカード取扱装置において、
さらに、
前記消去部において正常に消去されたか否かを判別する消去判別部を備える、マークカード取扱装置。
【請求項７】
請求項５に記載のマークカード取扱装置において、
さらに、
前記消去部において前記マークが消去された後で、マークを印字する印字部と、
前記印字部において印字される前記マークを選択する印字マーク選択部と、
を備える、マークカード取扱装置。
【請求項８】
請求項７に記載のマークカード取扱装置において、
前記印字マーク選択部は、
前記消去部において消去されたマークを全て、印字するマークとして選択する、マークカード取扱装置。
【請求項９】
請求項２に記載のマークカード取扱装置において、
前記消去部は、
前記マークを全て消去し、
前記消去部において前記マークが消去された後で、マークを印字する印字部と、
前記印字部において印字される前記マークを選択する印字マーク選択部であって、前記消去マーク選択部において選択されたマークを除き、前記消去部において消去されたマークを印字するマークとして選択する印字マーク選択部と、
を備える、マークカード取扱装置。
【請求項１０】
請求項１に記載のマークカード取扱装置において、
さらに、
前記マークカードに対する、前記マークの消去処理の有無に関する指示に基づいて、前記消去処理の有無を決定する消去処理決定部を備え、
前記マークカード取扱装置は、
前記消去処理決定部において、消去処理の実行が決定された場合には、前記マークの消去処理を実行する、マークカード取扱装置。
【請求項１１】
請求項１に記載のマークカード取扱装置において、
さらに、
前記マークカードに記載された、前記マークカードに対する前記マークの消去処理の有無に関する指示を読取り、前記読取り結果に基づいて前記消去部による前記マークの消去処理の有無を決定する消去処理決定部を備え、
前記マークカード取扱装置は、
前記消去処理決定部において、消去処理の実行が決定された場合には、前記マークの消去処理を実行する、マークカード取扱装置。
【請求項１２】
請求項７から請求項９までのいずれか一項に記載のマークカード取扱装置において、
さらに、
前記消去部において正常に消去がなされたか否かを判別する消去判別部と、
前記印字部において正常に印字がなされたか否かを判別する印字判別部と、
を備える、マークカード取扱装置。
【発明の詳細な説明】
【技術分野】
【０００１】
本発明は、マークカード取扱装置に関する。
【背景技術】
【０００２】
公営競技の投票券を購入する場合、利用者は、申込用紙としてのマークカードに、鉛筆等で購入したい内容をマークして窓口または自動機に購入を申込む仕組みになっている。
【先行技術文献】
【特許文献】
【０００３】
【特許文献１】特開２０１１−１８０８５２号公報
【発明の概要】
【発明が解決しようとする課題】
【０００４】
利用者が、申込用紙としてのマークカードに記入した内容を変更したい場合は、新たなマークカードに書き直す場合があった。鉛筆で記入した場合には、消しゴムで消して書き直す場合もあった。
【０００５】
新たなマークカードに書き直す場合には、マークカードが無駄になるという問題があった。消しゴムで消して書き直す場合には、消しゴムかすがマークカード取扱装置の不具合発生の要因となるおそれがあった。また、従来のマークカード取扱装置においては、低コスト化、製造の容易化、使い勝手の向上等が望まれていた。このような問題は、公営競技の投票券に限らず、宝くじのくじ券等、マークカードに手描きでマークを付して券を購入するものに共通していた。
【０００６】
申込用紙の消費量を低減する技術として、特許文献１には、発行済みの投票券を申込用紙として用い、同一内容の投票券を発行する発券装置が提案されている。
【課題を解決するための手段】
【０００７】
上記課題を解決するために、本発明は、マークカードを取扱うマークカード取扱装置であって、所定の温度範囲において消色するインクを用いて付されたマークを消去する消去部を備えてよい。本願において、消去とは消色を含む概念である。
【発明の効果】
【０００８】
このマークカード取扱装置によれば、マークの誤記があった場合に、そのマークをマークカード取扱装置にて消去することができる。そのため、マークが消去されたマークカードを再利用することができ、マークカードの無駄を削減することができる。また、マークの誤記があった場合に、消しゴムで消すことがなくなるため、消しゴムかすによるマークカード取扱装置の不具合がなくなり、マークカード取扱装置の不具合の発生を低減させることができる。
【０００９】
本発明は、マークカード取扱装置以外の種々の形態で実現することも可能である。例えば、マークカード取扱装置の製造方法やマークカード取扱装置の制御方法、その制御方法を実現するコンピュータプログラム、そのコンピュータプログラムを記録した一時的でない記録媒体（ｎｏｎ−ｔｒａｎｓｉｔｏｒｙ  ｓｔｏｒａｇｅ  ｍｅｄｉｕｍ）等の形態で実現することができる。
【図面の簡単な説明】
【００１０】
【図１】本発明の実施例１としてのマークカード取扱機を備える宝くじの販売システムの構成を示す説明図である。
【図２】実施例１のマークカード取扱機の外観構成を示す説明図である。
【図３】実施例１のマークカード取扱機の構成を示すブロック図である。
【図４】実施例１における消去処理の一例を示す説明図である。
【図５】実施例１のマークカード取扱機における消去処理の流れを示すフローチャートである。
【図６】実施例１のマークカード取扱機における消去マーク選択処理の流れを示すフローチャートである。
【図７】実施例２における消去処理の一例を示す説明図である。
【図８】実施例２における消去マーク選択処理の流れを示すフローチャートである。
【図９】実施例３における消去マーク選択処理の流れを示すフローチャートである。
【図１０】実施例４における消去・印字処理の一例を示す説明図である。
【図１１】実施例４のマークカード取扱機における消去・印字処理の流れを示すフローチャートである。
【図１２】実施例５のマークカードを示す説明図である。
【図１３】実施例６のマークカード取扱機を備える自動くじ券発券機の外観構成を示す説明図である。
【図１４】マークカードの順方向の搬送における処理を示す説明図である。
【図１５】マークカードの逆方向の搬送における処理を示す説明図である。
【図１６】実施例６のマークカード取扱機におけるマークの消去・印字処理の流れを示すフローチャートである。
【発明を実施するための形態】
【００１１】
以下、実施例１〜６について図面を用いて説明する。実施例１〜６に示すマークカード取扱機は、購入者が数字を選択する宝くじの申込用紙としてのマークカードを取扱うマークカード取扱機であって、受付けたマークカードに付されたマークを消去する機能を共通して有する。そして、それぞれ、下記の特徴を備える。宝くじは、購入者が数字を選択するものである。
【００１２】
実施例１：マークカードに取消マークが付されたマークを消去する例
実施例２：消去するマークを自動選択する例
実施例３：表示部を介して指定されたマークを消去する例
実施例４：手描きのマークを全て消去し全て再印字する例
実施例５：消去処理有無のマーク記載欄があるマークシートを用いる例
実施例６：手描きのマークを全て消去し、取消マークの付されていなかったマークのみ再印字する例
【００１３】
各実施例は、それぞれ、上記の異なる特徴を備えるものの、マークカード取扱機の機能構成は同一であるため、機能構成の説明は、実施例１についてのみ行い、他の実施例では説明を省略し、同一の構成に同一の符号を用いて説明する。マークカードは、実施例５において異なる様式のマークカードを用いるものの、実施例１〜４，６については、同一であるため、同一の符号を用いて説明する。実施例１〜５はマークカード取扱機と発券端末とが別体として構成される例を示すため、外観構成の説明は、実施例１についてのみ行い、実施例２〜５では説明を省略する。
【実施例１】
【００１４】
実施例１では、マークカードに取消マークが付されたマークを消去する例について説明する。
【００１５】
Ａ−１．宝くじの販売システムの構成：
図１は、本発明の実施例１としてのマークカード取扱機を備える宝くじの販売システムの構成を示す説明図である。図示するように、複数の発券端末２００がネットワークＮＴを介して上位装置３００に接続され、各発券端末２００にはマークカード取扱機１００が接続されている。
【００１６】
実施例１では、マークカード取扱機１００の使用態様の一例として、マークカード取扱機１００と発券端末２００とが別体として構成される、いわゆる「窓口機」を示している。ネットワークを介して接続されたマークカード取扱機１００と発券端末２００とが、１セットとして、宝くじの各販売窓口に設置されている。宝くじの販売窓口は、狭小なことが多く、マークカード取扱機１００と発券端末２００とを、別体の構成とすることにより、適切に設置することが可能となる。
【００１７】
本宝くじの販売システムにおいて、購入者の所望の数字に対応する枠にマークが付されたマークカードをマークカード取扱機１００が受付けると、マークカード取扱機１００がマークカードに記載された数字情報を読取り、読取った数字情報を発券端末２００に送信する。発券端末２００は受信した数字情報に基づいて、くじ券を発行すると共に、ネットワークを介して数字情報を含むくじ券情報を上位装置３００に送信する。上位装置３００は、複数の発券端末２００から受信したくじ券情報に基づいて、当否の判断等種々の処理を行う。
【００１８】
Ａ−２．マークカード取扱機の構成：
図２は、実施例１のマークカード取扱機の外観構成を示す説明図である。
上述の通り、くじ券の購入者は、マークカードを用いてくじ券を購入する。図示するように、マークカード４００には、数字１〜９に対応する枠４０１〜４０９が予め印刷されている。くじ券の購入者は、マークカード４００の所望の数字に対応する枠を塗りつぶす。この塗りつぶしを以下、マークＭとも称する。なお、実施例において、説明を簡単にするために、マークカード４００は、数字１〜９に対応する９つの枠が記載されたものを例示する。
【００１９】
くじ券の購入者は、申込用紙としてのマークカード４００に、所定の温度範囲で消色可能なインク（以下、消色可能インクとも称する）を用いて、所望の数字に対応する枠にマークＭを付して、窓口に提出する。窓口で、オペレータＯがマークカード４００を受け取り、マークカード取扱機１００に挿入すると、後述する消去処理が行われない場合は、マークカード４００の書き込みが読取られ、発券端末２００からマークカード４００の記載に対応するくじ券が発券される。オペレータＯは、マークカード４００とくじ券を、窓口から購入者に引き渡す。マークカード４００が不要な場合は、購入者は窓口の側に設けられたマークカード回収箱にマークカード４００を投入する。なお、申込用紙としてのマークカードは、後述する消去処理が行われない場合は、窓口にて回収されるとしてもよい。
【００２０】
本実施例において、消色可能インクは、例えば、株式会社パイロットコーポレーション製のフリクションインキである。フリクションインキは、６５℃以上で消色する。消色可能インクは、フリクションインキに限定されず、所定の温度範囲で消色するインクであればよい。購入者が使用する筆記具は、消色可能インクを利用していればよく、ボールペン、鉛筆、色鉛筆等種々の筆記具が使用されてよい。
【００２１】
マークカード取扱機１００は、受付部２０と、操作部６０と、表示部７０と、排出部９０と、搬送路（図示しない）と、を備える。受付部２０は、マークカード４００を吸入する吸入口を備え、マークカード４００をマークカード取扱機１００内に吸入する。操作部６０は、オペレータＯが操作をするためのボタンを備える。表示部７０は、液晶パネルを備え、操作内容やマークカードの内容等を表示する表示機能とタッチパッドのような位置入力機能とを有する。排出部９０は、マークカード４００を排出する排出口を備え、マークカード取扱機１００において処理がなされたマークカード４００を排出する。搬送路は、後述する制御部に制御され、受付部２０にて受付けたマークカードを排出部９０まで搬送する。
【００２２】
図３は、実施例１のマークカード取扱機の構成を示すブロック図である。
マークカード取扱機１００は、制御部１０と、受付部２０と、読取部３０と、消去部４０と、印字部５０と、操作部６０と、表示部７０と、記憶部８０と、排出部９０と、を備える。制御部１０は、マークカード取扱機１００を構成する各部を制御して、マークカード４００を受付けて、排出するまでの種々の処理を行わせる。
【００２３】
また、制御部１０は、消去マーク選択部１２と、消去処理決定部１４と、を備える。消去マーク選択部１２は、マークカード４００に消色可能インクによって付されたマークＭについて、消去(消色)するマークＭを選択する。消去処理決定部１４は、マークＭを消去する消去処理を実行するか否かを決定する。消去マーク選択部１２および消去処理決定部１４において行われる処理については、後に詳述する。
【００２４】
読取部３０は、画像センサとして反射式カラー光学センサを備え、マークカードの画像を取得する。画像センサとしては、その他、例えば、透過式光学センサ、透過式紫外線センサ等を用いてもよい。
【００２５】
消去部４０は、発熱体を備え、発熱体により消去対象のマークＭを加熱して、消色可能インクによって記載されたマークＭを消去する。具体的には、制御部１０によって、発熱体を発熱させる位置、タイミング、および発熱温度が制御され、消去対象のマークＭが適切に消去される。発熱温度は、消色可能インクが消色する温度（例えば、７０℃）に制御される。実施例１において、発熱体としてサーマルヘッドを使用している。
【００２６】
印字部５０は、印刷ヘッド、インクカートリッジ等を備え、インクジェット方式で、マークカード４００に印字を行う。実施例１において、例えば、受付け日時、受付け窓口等の情報を印字するが、印字部５０を備えない構成としてもよい。
【００２７】
記憶部８０には、予め、マークカード取扱機１００を制御するためのプログラムが記憶されている。その他、読取部３０にて取得された画像データ、消去マーク選択部１２にて画像データを解析した解析結果、消去マーク選択部１２にて選択された消去マークに関する情報、消去処理決定部１４における決定に関する情報等が記憶される。
【００２８】
Ａ−３：マークの消去処理：
図４は、実施例１における消去処理の一例を示す説明図である。図４では、マークカード取扱機１００の構成のうち、読取部３０、消去部４０、印字部５０のみを、模式的に示している。
【００２９】
図示するように、マークカード取扱機１００において、読取部３０、消去部４０、印字部５０は、その順に配置され、マークカード４００は、読取部３０から印字部５０へ向かう方向に搬送される。図４では、マークカード取扱機１００に挿入する前のマークカードをマークカード４００Ａ、マークカード取扱機１００において処理がなされ排出されたマークカードをマークカード４００Ｂと表示している。
【００３０】
実施例１では、消去マーク選択部１２において、×印（以下、取消マークＤとも称する）が付されたマークが消去されるマークとして選択され、消去部４０にて消去される。
購入者が、枠４０２、４０９にマークＭを付すつもりが、誤って枠４０５にマークＭを付してしまった場合、購入者は、枠４０１、４０９にマークＭを付すと共に、枠４０５に付したマークＭに取消マークＤを追加して（図４のマークカード４００Ａ）、オペレータＯに提出する。
【００３１】
オペレータＯが、マークカード取扱機１００にマークカード４００Ａを挿入して消去処理の操作をすると、マークカード取扱機１００において、枠４０５に付されたマークＭと取消マークＤが消去され、枠４０２、４０９のみにマークＭが付されたマークカード４００Ｂが排出される。
【００３２】
図５は、実施例１のマークカード取扱機におけるマークの消去処理の流れを示すフローチャートである。本消去処理は、オペレータＯがマークカード取扱機１００の操作部６０を利用して消去処理を選択することにより開始される。
【００３３】
オペレータＯがマークカード取扱機１００の操作部６０を利用して消去処理を選択すると、消去処理決定部１４は、消去処理の実行を決定し、記憶部８０に消去処理実行フラグを立てる。制御部１０は、記憶部８０に記憶された消去処理実行フラグに基づいて消去処理を実行するか否かを判断する。消去処理実行フラグが立っている場合には、制御部１０は消去処理を開始する。
【００３４】
すなわち、制御部１０は、搬送路（図示しない）を制御して、受付部２０にて受付けたマークカードの搬送を開始する（ステップＳ１００）。消去マーク選択部１２は、受付けたマークカード４００に付されたマークＭの内、消去するマークを選択する消去マーク選択処理を行う（ステップＳ２００）。制御部１０は、消去部４０を制御して、ステップＳ２００にて選択された消去マークを消去し（ステップＳ１０４）、搬送路を制御して排出部９０を介してマークカードを排出する（ステップＳ１０４）。
【００３５】
図６は、実施例１のマークカード取扱機における消去マーク選択処理の流れを示すフローチャートである。
読取部３０は、マークカード４００が読取部３０を通過する際にマークカード４００の画像を取得する。消去マーク選択部１２は、取得された画像に基づいて、枠４０１〜４０９のいずれにマークＭが付されているのか、枠４０１〜４０９のいずれに消去を指示する取消マークＤ（×印）が付されているのかを解析する（ステップＳ２０２）。
【００３６】
消去マーク選択部１２は、ステップＳ２０２における解析結果に基づいて、取消マークＤの有無を判断し（ステップＳ２０４）、取消マークＤ有りと判断された場合は（ステップＳ２０４においてＹＥＳ）、取消マークＤが付されたマークＭを消去マークとして記憶部８０に記憶させる（ステップＳ２０６）。消去マーク選択部１２において、取消マークＤ無しと判断された場合は（ステップＳ２０４においてＮＯ）、消去マーク選択処理を終了する。
【００３７】
なお、消去処理実行フラグは、１枚のマークカードの処理が終了する度にリセットされる。実施例１において、オペレータＯがマークカード取扱機１００の操作部６０を利用して消去処理を選択しないと、消去処理実行フラグは立てられないため、上述の消去処理は実行されず、くじ券の発券に必要な通常の処理のみ行われる。
【００３８】
本実施例のマークカード取扱機１００によれば、マークの誤記があった場合に、取消を指示する取消マークＤ（×印）に基づいて、所望の誤記マークを消去することができる。そのため、誤記したマークカードを廃棄して新たなマークカードにマークを付し直す必要がなく、マークカードの無駄を削減することができる。
【００３９】
また、マークの誤記があった場合に、消しゴムで消す必要がなくなるため、消しゴムかすによるマークカード取扱機の不具合がなくなり、マークカード取扱機の不具合の発生を低減させることができる。
【００４０】
実施例１のマークカード取扱機１００では、消去マーク選択処理Ｓ２００において、取消マークＤ無しと判断されると、記憶部８０に消去マークは記憶されない。ステップＳ１０２では、消去マーク選択部１２にて選択された消去マークがないため、マークの消去処理はなされず、そのままマークカード４００が排出される。
【００４１】
取消マークＤが適切に記入されているのに消去されていない場合には、消去マークが認識されなかった可能性があるため、オペレータＯは再度同様の操作を行うことにより、所望のマークが適切に消去されうる。取消マークＤの記入漏れや取消マークＤが薄い等の可能性がある場合には、購入者が、再度、取消マークＤを付して、オペレータＯが同様の操作を行うことにより、適切に所望のマークを消去することができる。
【００４２】
実施例１のマークカード取扱機１００において、消去処理決定部１４を備えない構成にしてもよい。消去処理決定部１４を備えない場合、マークカード取扱機１００は、マークカード４００を受付けると、常に、マークの消去処理（図４、図５に記載された処理）を実行する。取消マークＤが認識されたら、該当マークを消去し、取消マークＤが認識されなければ、マークの消去は行われない。
【００４３】
実施例１では、消去処理決定部１４を備えるため、マークの消去処理が不要の場合には、くじ券の発券に必要な通常の処理のみ行われるため、消去処理決定部１４を備えない場合と比較して、処理時間を短縮することができる。
【００４４】
実施例１において、取消マークＤとして×印を例示しているが、チェックマーク（レ）、取消線（−、＝）等、種々のマークを用いてよい。また、実施例１では、マークＭに×印を重ねて記載しているが、例えば、マークＭを記載する枠の横に、×印やチェックマークを記載する欄（□）を設けてもよい。
【００４５】
実施例１のマークカード取扱機１００において、マークカード全体の画像を読取った後に、読取り画像の解析、マークＭの消去を行っても良いし、画像読取り、読取り画像の解析、マークＭの消去を部分ごとに繰り返し行っても良い。例えば、マークカードを１行め（枠４０１、４０２、４０３）、２行目（枠４０４、４０５、４０６）、３行目（枠４０７、４０８、４０９）に分けて、１行ずつ画像読取り、読取り画像の解析、マークＭの消去を繰り返し行っても良い。
【実施例２】
【００４６】
実施例２では、消去するマークを自動選択する例について説明する。
【００４７】
図７、８に基づいて、実施例２のマークカード取扱機について説明する
実施例２のマークカード取扱機１００では、受付けたマークカード４００に付された複数のマークＭの内、所定の数のマークを自動で選択し消去する。実施例２では、購入者が記入した５つのマークＭから自動的に３つのマークを選択して消去する例を示す。例えば、１〜９までの数字の内、２つの数字を選択して購入する宝くじの場合に、購入者が数字を選びきれないとき、購入者が選んだ複数の数字の中からマークカード取扱機１００に２つの数字を選択させることを希望する場合が想定される。
【００４８】
図７は、実施例２における消去処理の一例を示す説明図である。図７では、図４と同様に、マークカード取扱機１００の構成のうち、読取部３０、消去部４０、印字部５０のみを、模式的に示している。
【００４９】
図示するように、マークカード４００Ａは、購入者により、枠４０１、４０２、４０５、４０８、４０９にマークＭが記入されている。マークカード４００Ａは、マークカード取扱機１００に挿入されると、枠４０１、４０２、４０５、４０８、４０９の内、３つの枠４０１、４０５、４０８のマークＭが消去され、枠４０２、４０９にのみマークＭがされたマークカード４００Ｂが、排出される。
【００５０】
図８は、実施例２における消去マーク選択処理の流れを示すフローチャートである。実施例２のマークカード取扱機１００におけるマークの消去処理は、消去マーク選択処理が実施例１と異なるものの、他の処理の流れは同一である。すなわち、図５のマークの消去処理におけるステップＳ２００に代えて、図８のステップＴ２００の処理を実行する。以下、実施例２における消去マーク選択処理について図８に基づいて説明する。
【００５１】
読取部３０は、マークカード４００が読取部３０を通過する際にマークカード４００の画像を取得する。消去マーク選択部１２は、取得された画像に基づいて、枠４０１〜４０９のいずれにマークＭが付されているのかを解析する（ステップＴ２０２）。
【００５２】
消去マーク選択部１２は、消去マークを選択するプログラム（記憶部８０に予め記憶されている）を実行することにより、ステップＴ２０２における解析結果に基づいて、マークカード４００に付された５つのマークから、消去するマークを３つ選択し、消去マークとして記憶部８０に記憶させる（ステップＴ２０４）。
【００５３】
上述の通り、図５における消去マーク選択処理Ｓ２００に代えて実施例２の消去マーク選択処理Ｔ２００を行うことにより、実施例２の消去処理が行われる。すなわち、実施例２のマークカード取扱機１００では、消去部４０において、記憶部８０に記憶された消去マークの情報に基づいて、マークカード４００に記入されたマークＭのうち、ステップＴ２０４にて選択されたマークが消去され、排出される。すなわち、購入者が記入した５つのマークＭのうち、自動で選択された（消去マークとして選択されなかった）２つのマークＭのみが残されたマークカード４００が排出される。
【００５４】
実施例２のマークカード取扱機によれば、購入者が選択したマークの中からマークカード取扱機において消去するマークが自動的に選択される。従来は、数字を選択する宝くじにおいて、数字を機械に選択させる場合には、購入者の意向と無関係に数字が抽出されていた。一方、実施例２のマークカード取扱機１００によれば、購入者は予め複数の数字を選択するため、発券される宝くじのくじ券の数字に購入者の意向が反映され、購入者の満足度が向上する。
【００５５】
また、数字を選択する宝くじの購入者においては、一度購入した宝くじと同一の数字の宝くじを何度も購入したいと考える場合がある。実施例２のマークカード取扱機１００では、購入者の意向が反映された数字にマークが付されたマークカードが排出されるため、排出されたマークカード４００Ｂを用いて、何度も同一の数字の宝くじを購入することができ、宝くじの購入者の利便性が向上する。
【００５６】
本実施例において、購入者が記入した５つのマークＭから自動的に３つのマークを選択して消去する例を示したが、購入者が記入するマークは５つに限定されず、６つでも、４つでも、その他でも適宜設定すればよい。購入者が記入するマークＭの数は指定せず、購入者が記入した複数のマークＭの中から自動的に（購入者が記入したマークの数−２）個の消去マークを選択する構成にしてもよい。
【実施例３】
【００５７】
実施例３では、表示部を介して指定されたマークを消去する例について説明する。
【００５８】
図９に基づいて、実施例３のマークカード取扱機について説明する。
実施例３のマークカード取扱機１００では、受付けたマークカード４００に付されたマークＭの内、表示部７０を介して指定されたマークを消去する。
【００５９】
図９は、実施例３における消去マーク選択処理の流れを示すフローチャートである。実施例３のマークカード取扱機１００におけるマークの消去処理は、消去マーク選択処理が実施例１と異なるものの、他の処理の流れは同一である。すなわち、図５のマークの消去処理におけるステップＳ２００に代えて、図９のステップＵ２００の処理を実行する。以下、実施例３における消去マーク選択処理について図９に基づいて説明する。
【００６０】
読取部３０は、マークカード４００が読取部３０を通過する際にマークカード４００の画像を取得する。消去マーク選択部１２は、取得された画像を解析する（ステップＵ２０２）。消去マーク選択部１２は、解析結果に基づいて、マークカード、枠４０１〜４０９、入力されたマークを、表示部７０に表示させる（ステップＵ２０４）。このとき、表示部７０のタッチパネル機能を用いて枠４０１〜４０９を選択可能に、マークカードの図の形態で表示させる。
【００６１】
オペレータＯが購入者の意向に基づいて、表示部７０のタッチパネル機能を利用して消去させるマークが記入された枠を選択すると、消去マーク選択部１２は、表示部７０を介して消去マークの指定を受付け、指定された枠内のマークＭを消去マークとして記憶部８０に記憶させる（ステップＵ２０６）。
【００６２】
上述の通り、実施例１の図５における消去マーク選択処理Ｓ２００に代えて実施例３の消去マーク選択処理Ｕ２００を行うことにより、実施例３の消去処理が行われる。すなわち、実施例３のマークカード取扱機１００では、消去部４０において、記憶部８０に記憶された消去マークの情報に基づいて、オペレータＯが表示部７０を介して選択したマークが消去され、排出される。すなわち、購入者が記入したマークＭのうち、購入者が消去を希望したマークＭが消去されたマークカード４００が排出される。
【００６３】
実施例３のマークカード取扱機１００によれば、実施例１のマークカード取扱機と同様の効果を得ることができる。さらに、実施例３のマークカード取扱機では、読取部３０において読取った画像を表示部７０にて視認することができるため、読取りの誤り等を確認することができる。
【００６４】
実施例３において、消去マーク選択部１２は、読取部３０にて読取った画像を解析した解析結果に基づいて、マークカードの図の形態で表示部７０に表示させているが、解析結果に基づいて、マークＭが付されている枠の番号を表示するようにしてもよい。この場合、オペレータＯは、購入者の指示に基づいて、枠の番号を選択（タッチパネル機能を用いても、操作部６０を用いてもよい）すればよい。このようにしても同様の効果を得ることができる。
【実施例４】
【００６５】
実施例４では、手描きのマークを全て消去し全て再印字する例について説明する。
【００６６】
図１０、１１に基づいて、実施例４のマークカード取扱機について説明する。実施例４のマークカード取扱機では、受付けたマークカード４００に付されたマークを全て消去し、マークされていた枠内に印字部５０にてマークを印字する。
【００６７】
図１０は、実施例４における消去・印字処理の一例を示す説明図である。
購入者により手描きでマークＭが付されたマークカード４００Ａ（図１０の（Ａ）欄）をマークカード取扱機１００に挿入すると、一旦、消去部４０にて手描きで付されたマークＭが全て消去され（図１０の（Ｂ）欄）、手描きでマークＭが付されていた枠４０１、４０５、４０９に印字部５０にてマークＰＭが印字されて、排出される（図１０の（Ｃ）欄）。印字部５０にて印字されるマークＰＭは、枠内を均一に塗りつぶしたような形状であり、マークカード取扱機１００により誤認識されにくい。
【００６８】
図１１は、実施例４のマークカード取扱機における消去・印字処理の流れを示すフローチャートである。本消去処理は、オペレータＯがマークカード取扱機１００の操作部６０を利用して消去・印字処理を選択することにより開始される。
【００６９】
オペレータＯがマークカード取扱機１００の操作部６０を利用して消去・印字処理を選択すると、消去処理決定部１４は、消去・印字処理の実行を決定し、記憶部８０に消去・印字処理実行フラグを立てる。制御部１０は、記憶部８０に記憶された消去・印字処理実行フラグに基づいて消去・印字処理を実行するか否かを判断する。消去・印字処理実行フラグが立っている場合には、制御部１０は消去・印字処理を開始する。
【００７０】
すなわち、制御部１０は、搬送路（図示しない）を制御して、受付部２０にて受付けたマークカード４００の搬送を開始する（ステップＳ３００）。読取部３０は、マークカード４００が読取部３０を通過する際にマークカード４００の画像を取得する。消去マーク選択部１２は、取得された画像に基づいて、枠４０１〜４０９のいずれにマークＭが付されているのかを解析し、解析結果に基づいて、受付けたマークカード４００に付された全てのマークを消去・印字マークとして記憶部８０に記憶させる（ステップＳ３０２）。
【００７１】
制御部１０は、消去部４０を制御して、記憶部８０に記憶された消去・印字マークの情報に基づいて全ての手描きのマークＭを消去する（ステップＳ３０４）。続いて、制御部１０は、印字部５０を制御して、記憶部８０に記憶された消去・印字マークの情報に基づいて、消去部４０にて消去された手描きのマークＭが付されていた枠に、マークＰＭを印字する（ステップＳ３０６）。そして、制御部１０は、搬送路を制御して排出部９０を介してマークカード４００を排出する（ステップＳ３０８）。
【００７２】
本実施例のマークカード取扱機１００によれば、手描きで付されたマークＭがマークカード取扱機１００により誤認識されにくい形状に変更されるため、誤認識の可能性が低いマークカードを作成することができる。そのため、本実施例のマークカード取扱機１００によってマークＰＭが印字されたマークカード４００を用いて、くじ券を購入すれば、誤ったくじ券が発行される可能性が低減される。したがって、誤ったくじ券を廃棄して、適切なくじ券を再発行する手間が軽減される。また、廃棄されるくじ券も低減され、省資源化に資する。
【００７３】
さらに、本実施例のマークカード取扱機１００によってマークＰＭが印字されたマークカード４００を用いて、何度も同一の番号のくじ券を購入することができるため、購入者の利便性が向上するとともに、省資源化に資する。
【００７４】
実施例４において、消去マーク選択部１２において、マークカードに付された全てのマークが消去マークとして選択され、選択されたマークが消去部４０において消去されているが、消去する際には、発熱体の発熱させる位置を細かく制御せず、発熱体の全体を発熱させてもよい。このようにしても、マークカードに付された全てのマークを消去することができる。
【実施例５】
【００７５】
実施例５では、消去処理有無のマーク記載欄があるマークシートを用いる例について説明する。
【００７６】
図１２に基づいて、実施例５のマークカード取扱機について説明する。
図１２は、実施例５のマークカードを示す説明図である。図示するように、マークカード６００は、実施例１のマークカード４００における数字１〜９に対応する枠４０１〜４０９と同様の数字１〜９に対応する枠６０１〜６０９を備える。さらに、消去処理の有無を指示するための枠６３０を備える。
【００７７】
実施例１は、オペレータＯがマークカード取扱機１００の操作部６０を利用して消去処理を選択することにより消去処理が開始されたが、実施例５では、マークカード６００の枠６３０にマークが付されている場合に、消去処理が開始される。
【００７８】
実施例５では、マークカード取扱機１００が受付部２０を介してマークカード６００を受付けると、制御部１０は搬送路を制御して、受付けたマークカード６００を読取部３０へ搬送する。読取部３０は、マークカード６００が読取部３０を通過する際にマークカード６００の画像を取得する。消去処理決定部１４は、取得された画像に基づいて、枠６３０にマークＭが付されているか否かを解析する。
【００７９】
消去処理決定部１４は、解析結果に基づいて、枠６３０にマークが付されていた場合には、消去処理の実行を決定し、記憶部８０に消去処理実行フラグを立てる。制御部１０は、記憶部８０に記憶された消去処理実行フラグに基づいて消去処理を実行するか否かを判断する。消去処理実行フラグが立っている場合には、制御部１０は消去処理を開始する。
【００８０】
制御部１０は、消去マーク選択部１２に消去マーク選択処理Ｓ２００を開始させる。本実施例において、消去マーク選択処理が開始される前に読取部３０にて画像が取得されているため、ステップＳ２０２では、取得された画像に基づいて、枠６０１〜６０９のいずれに消去を指示する取消マークＤ（×印）が付されているのかを解析する。そして、マークカード取扱機１００は、図５におけるステップＳ１０２、１０４の処理を行い、消去マーク選択部１２により選択された消去マークを消去して、マークカード６００を排出する。
【００８１】
一方、枠６３０にマークが付されていなかった場合には、消去処理決定部１４は、消去処理実行フラグを立てない。そのため、マークカード取扱機１００において、消去処理は実行されず、くじ券の発券に必要な通常の処理のみ行われる。なお、消去処理実行フラグは、１枚のマークカードの処理が終了する度にリセットされる。
【００８２】
実施例５のマークカード取扱機１００によっても、実施例１と同様の効果が得られる。さらに、オペレータＯが操作部６０を介して消去処理の指示をしなくても、マークカード６００の記載に基づいて、消去処理が開始されるため、購入者およびオペレータＯにとっての利便性が向上される。
【実施例６】
【００８３】
実施例６では、手描きのマークを全て消去し、取消マークの付されていなかったマークのみ再印字する例について説明する。
【００８４】
図１３〜１６に基づいて、実施例６のマークカード取扱機１００Ａについて説明する。
図１３は、実施例６のマークカード取扱機を備える自動くじ券発券機の外観構成を示す説明図である。図示するように、自動くじ券発券機７００は、マークカード取扱機１００Ａと、操作部６０と、表示部７０と、入出金口７０２と、くじ券吸入・排出口７０４と、を備える。マークカード取扱機１００Ａは、受付部２０と排出部９０とが、マークカード吸入排出口を共用しており、吸入排出口が、自動くじ券発券機７００の表面に露出するように配置されている。
【００８５】
マークカード取扱機１００Ａは、マークカード吸入排出口を介して受付けたマークカードに対して、マークの消去・印字処理を行い、再び、マークカード吸入排出口を介して排出する。マークの消去・印字処理については後に詳述する。表示部７０は、液晶パネルを備え、操作内容やマークカードの内容等を表示する表示機能とタッチパッドのような位置入力機能（操作部６０としての機能）とを併せ持つ。
【００８６】
購入者Ｕは、入出金口７０２を介してくじ券の代金を投入し、入出金口７０２を介して払い戻しの金銭を受領する。また、購入者Ｕは、くじ券吸入・排出口７０４を介して発券されたくじ券を受領し、くじ券の当否を照合する場合に、くじ券吸入・排出口７０４を介してくじ券を投入する。
【００８７】
図１４は、マークカードの順方向の搬送における処理を示す説明図、図１５は、マークカードの逆方向の搬送における処理を示す説明図である。図１４、１５では、マークカード取扱機１００Ａの構成のうち、読取部３０、消去部４０、印字部５０のみを、模式的に示している。
【００８８】
図示するように、マークカード取扱機１００Ａにおいて、読取部３０、印字部５０、消去部４０は、その順に配置される。実施例１のマークカード取扱機１００とは、印字部５０と消去部４０の配置が逆である。マークカード４００は、読取部３０から消去部４０へ向かう方向（順方向）に搬送されて、画像読取り処理が行われ、消去部４０から読取部３０に向かう方向（逆方向）に搬送されて、消去・印字処理が行われる。
【００８９】
実施例６のマークカード取扱機１００Ａは、マークカード４００に手描きで付されたマークＭを一旦、全て消去し、再印字する。再印字する際に、取消マークＤ（×印）が付されているマークについては、再印字しない。
【００９０】
図１４では、マークカード４００Ａの枠４０２、４０５、４０９に手描きでマークＭが付され、枠４０５にはさらに取消マークＤが付されている例を示している。マークカード４００Ａは、受付部２０で受付けられると、マークカード取扱機１００Ａ内を順方向に搬送され、読取部３０を通過する際に、画像が読取られる。図示するように、マークカード取扱機１００Ａの読取部３０、印字部５０、消去部４０を順方向に通過した後、マークカード４００Ａは、マーク消去処理もマーク印字処理もなされておらず、購入者が手描きでマークＭを記載したままの状態である。
【００９１】
図１５に示すように、マークカード取扱機１００Ａにて読取り処理がなされた後、マークカード４００Ａは、逆方向に搬送され、再度、消去部４０、印字部５０、読取部３０を通過する。この逆方向の搬送において、消去部４０を通過する際に手描きのマークＭが全て消去され、印字部５０を通過する際に手描きのマークＭに代わりマークＰＭが印字される。図１５において、マークカード取扱機１００Ａにて、マーク消去処理、マーク印字処理がなされた後のマークカード４００Ｂには、枠４０２、４０９にマークＰＭが印字されている。
【００９２】
図１６は、実施例６のマークカード取扱機におけるマークの消去・印字処理の流れを示すフローチャートである。本消去・印字処理は、購入者Ｕがマークカード取扱機１００Ａの操作部６０を利用して消去・印字処理を選択することにより開始される。実施例６において、実施例４と同様に、消去・印字処理が選択されると、記憶部８０に消去・印字処理実行フラグが立てられ、制御部１０は、消去・印字処理実行フラグが立っている場合には、制御部１０は消去・印字処理を開始する。
【００９３】
制御部１０は、搬送路（図示しない）を制御して、受付部２０にて受付けたマークカード４００を、順方向に搬送開始する（ステップＳ４００）。消去マーク選択部１２は、受付けたマークカード４００に付されたマークＭの内、消去するマークを選択する消去マーク選択処理を行う（ステップＳ２００）。消去マーク選択処理Ｓ２００は、実施例１と同様（図６）であるため、その説明を省略する。
【００９４】
マークカード４００が消去部４０を通過し終えると、制御部１０は、搬送路を制御して、マークカード４００を逆方向に搬送開始する（ステップＳ４０２）。制御部１０は、消去部４０を制御して、全ての手描きのマークＭを消去する（ステップＳ４０４）。続いて、制御部１０は、消去マーク選択部１２にてなされた解析結果に基づいて、マークＰＭを印字する枠を特定し、印字部５０を制御して、消去部４０にて消去された手描きのマークＭが付されていた枠であって、取消マークＤが付されていなかった枠に、マークＰＭを印字する（ステップＳ４０６）。
【００９５】
読取部３０は、マークカード４００が読取部３０を通過する際に、再度、マークカード４００の画像を取得する。制御部１０は、取得された画像に基づいて、枠４０１〜４０９のいずれにマークＰＭが付されているか解析する。そして、消去マーク選択処理においてなされた解析結果と、今回の解析結果とを照合して、消去・印字が正常か否かを判断する（ステップＳ４０８）。
【００９６】
具体的には、取消マークＤが付されていた枠内のマークＭが正常に消去されているか、手描きでマークＭが付されており、取消マークＤが付されていなかった枠に正常にマークＰＭが付されているかを照合する。制御部１０は、消去・印字が正常と判断すると（ステップＳ４０８において、ＹＥＳ）、搬送路を制御して、マークカード４００をそのまま逆方向に搬送して、排出部９０を介して排出する（ステップＳ４１０）。
【００９７】
一方、制御部１０は、消去・印字が異常と判断すると（ステップＳ４０８において、ＮＯ）、搬送路を制御して、マークカード４００を順方向に搬送する（ステップＳ４１２）。マークカード４００が消去部４０を通過し終えると、制御部１０は、搬送路を制御して、再度、逆方向にマークカードを搬送する（ステップＳ４０２）。そして、再度、ステップＳ４０４〜４０８の処理が行われる。このように、消去・印字が正常になるまで、消去・印字の再処理が行われる。
【００９８】
実施例６のマークカード取扱機１００Ａによっても、実施例４と同様の効果が得られる。加えて、マークＭの誤記入があった場合には、誤記入されたマークＭも消去される。さらに、実施例６のマークカード取扱機１００Ａは、マークの消去・印字処理が正常に行われたか否かを確認し、正常に消去・印字されたマークカードを提供することができる。
【００９９】
また、逆方向の搬送において、再度、読取部３０を通過する際に画像を取得し確認処理を行っているため、確認処理のために別の読取部３０を設ける必要が無く、省資源化、製造容易化に資する。
【０１００】
実施例６では、消去・印字が異常と判断された場合に、再度、消去・印字処理をおこなっているが、再度の消去・印字処理は行わず、表示部７０にエラーメッセージを表示させる等、エラー処理を行うようにしてもよい。
【０１０１】
上記実施例において、印字部５０として、インクジェット方式で印字を行う例を示したが、インクジェット方式に限定されない。例えば、印字部５０が発熱体を備える構成としてもよい。マークカード４００として、感熱紙を用い、発熱体により加熱することにより印字してもよい。
【０１０２】
さらに、印字部５０と消去部４０とで、発熱体を共用し、同一の発熱体にて、消去と印字とを行っても良い。消去時と印字時とで発熱体の発熱温度を異なる温度に制御することにより実現される。このようにすることにより、マークカード取扱機１００の構成が簡単になり、製造、メンテナンスの容易化、省資源化に資する。
【０１０３】
上記実施例において、購入者がマークカードに手描きでマークＭを付し、そのマークカードに基づいて、マークカード取扱機にて消去処理や、消去・印字処理が行われる例を示したが、例えば、予め、全ての枠にマークＰＭが印字されたマークカードを用い、購入者が消去したいマークＰＭを指定してマークカード取扱機にて指定されたマークを消去するようにしてもよい。このようにすると、購入者が手描きでマークＭを付す手間が省略される。また、購入者の所望の数字に対応するマークが、マークカードに予め印字されているマークＰＭであるため、マークカード取扱機による誤認識が低減される。
【０１０４】
従来のマークカード取扱機において、印字のために発熱体を備えている場合がある。上記実施例において、従来から備えられている発熱体を利用して消去部を構成することにより、低コストで上記実施例のマークカード取扱機を製造することができる。
【０１０５】
上記実施例において、発熱体の発熱温度を７０℃に制御してマークを消去しているが、発熱体の温度は、７０℃に限定されず、消色可能インクが消色する温度範囲に応じて適宜設定すればよい。また、消去部４０は発熱体を備えるが、冷却体を備える構成にしてもよい。例えば、０℃以下において消色するインクを対象とする場合には、冷却体（例えば、ペルチェ素子）を０℃に制御して、消色可能インクにて付されたマークを消去してもよい。
【０１０６】
上記実施例のマークカード取扱機において、鉛筆にてマークが付されたマークカードも取り扱える構成にしてもよい。
【０１０７】
上記実施例は、本発明の一態様として、宝くじの販売に用いられるマークカード取扱機を例示したが、宝くじに限定されず、例えば、公営競技の投票券の販売に用いられるマークカード取扱機として構成してもよい。
【０１０８】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、ある実施例の構成の一部を他の実施例の構成に置き換えることが可能であり、また、ある実施例の構成の一部について、他の構成の追加・削除・置換をすることが可能である。
【０１０９】
また、上記の各構成、機能、処理部、処理手段等は、それらの一部または全部を、例えば集積回路で設計する等によりハードウェアで実現してもよい。また、上記各構成、機能等は、プロセッサがそれぞれの機能を実現するためのプログラムを解釈し、実行することによりソフトウェアで実現してもよい。各機能を実現するためのプログラム、テーブル、ファイル等の情報は、メモリや、ハードディスク、ＳＳＤ（Solid State Drive）等の記録装置、または、ＩＣカード、ＳＤカード、ＤＶＤ（登録商標）等の記録媒体に置くことができる。
【０１１０】
また、制御線や情報線は説明上必要と考えられるものを示しており、製品上の制御線や情報線を必ずしも全て示しているとは限らない。実際には殆ど全ての構成が相互に接続されていると考えてもよい。
【符号の説明】
【０１１１】
１０…制御部
１２…消去マーク選択部
１４…消去処理決定部
２０…受付部
３０…読取部
４０…消去部
５０…印字部
６０…操作部
７０…表示部
８０…記憶部
９０…排出部
１００、１００Ａ…マークカード取扱機
２００…発券端末
３００…上位装置
４００、４００Ａ、４００Ｂ、６００…マークカード
４０１〜４０９、６０１〜６０９、６３０…枠
７００…自動くじ券発券機
７０２…入出金口
７０４…排出口
Ｏ…オペレータ
Ｕ…購入者
Ｍ…手描きのマーク
ＰＭ…印字されたマーク
ＮＴ…ネットワーク
【図１】
2015146139.tif 000003
【図２】
2015146139.tif 000004
【図３】
2015146139.tif 000005
【図４】
2015146139.tif 000006
【図５】
2015146139.tif 000007
【図６】
2015146139.tif 000008
【図７】
2015146139.tif 000009
【図８】
2015146139.tif 000010
【図９】
2015146139.tif 000011
【図１０】
2015146139.tif 000012
【図１１】
2015146139.tif 000013
【図１２】
2015146139.tif 000014
【図１３】
2015146139.tif 000015
【図１４】
2015146139.tif 000016
【図１５】
2015146139.tif 000017
【図１６】
2015146139.tif 000018